(57)【要約】ブロックリピート分野の多重アクセスに基づく資源配分方法は、ユーザーのサービス要求に従って使用可能なＢＲＢＧを分配し、前記分配されたＢＲＢＧに対してＲＣ列を分配する工程を有する。また、本発明は、ブロックリピート分野の多重アクセスに基づく資源管理方法を提供し、所定時間、領域内の動作環境を検出し、この動作環境に従って前記領域のＢＲＢＧにおけるＢＲＢの数を調整する工程を含む。また、本発明は、ブロックリピート分野の多重アクセスに基づく資源配分／管理装置を提供する。
2010541346.tif 000002
【特許請求の範囲】
【請求項１】
ブロックリピートディビジョンへの多重アクセスに基づく資源配分方法であって、
ユーザーのサービス要求に従って、利用可能なＢＲＢＧ（ブロックリピートリソースブロックグループ）を配分し、
ＲＣ（リピートコード）列を前記ＢＲＢＧに割り当てる、各工程を含むことを特徴とする資源配分方法。
【請求項２】
ユーザーのサービス要求に一致するＲＦ（リピートファクター）を有するＢＲＢＧが、利用可能なＢＲＢＧから選択され、そして、選択されたＢＲＢＧが配分されることを特徴とする請求項１記載の方法。
【請求項３】
さらに、前記利用可能なＢＲＢＧが、ユーザーのサービス要求に一致するＲＦを有するＢＲＢＧを含まない場合、ユーザーのサービス要求よりも高いＲＦを有するＢＲＢＧを選択し、そして、選択されたＢＲＢＧを配分することを特徴とする請求項２記載の方法。
【請求項４】
さらに、前記利用可能なＢＲＢＧが、ユーザーのサービス要求に一致するＲＦを有するＢＲＢＧを含まない場合、ユーザーのサービス要求よりも高いＲＦを有するＢＲＢＧのＲＦを減少させ、ユーザーのサービス要求に一致するＲＦを有するＢＲＢＧを得て、そして、この得られたＢＲＢＧを配分することを特徴とする請求項２記載の方法。
【請求項５】
さらに、前記利用可能なＢＲＢＧが、ユーザーのサービス要求に一致するＲＦを有するＢＲＢＧを含まない場合、ＢＲＢＧのＲＦを増加させ、ユーザーのサービス要求に一致するＲＦを有するＢＲＢＧを得て、そして、この得られたＢＲＢＧを配分することを特徴とする請求項２記載の方法。
【請求項６】
さらに、前記利用可能なＢＲＢＧが、ユーザーのサービス要求に一致するＲＦを有するＢＲＢＧを含まない場合、利用可能な複数のＢＲＢＧを選択し、該利用可能な複数のＢＲＢＧの各ＲＦの合計値をユーザーのサービス要求に一致させ、そして、利用可能な複数の前記ＢＲＢＧを配分することを特徴とする請求項２記載の方法。
【請求項７】
複数の利用可能なＲＣ列が、複数の利用可能な配分された前記複数のＢＲＢＧの各ＲＦに対応する各ＲＣ列から選択され、選択された複数の前記ＲＣ列は、前記複数のＢＲＢＧが配分されると同一の順序で連結され、連結したＲＣ列を得て、そして、該連結したＲＣ列を割り当てることを特徴とする請求項６記載の方法。
【請求項８】
利用可能なＲＣ列が、配分されたＢＲＢＧのＲＦに対応するＲＣ列のグループから選択され、そして、選択されたＲＣ列が割り当てられることを特徴とする請求項１ないし５のいずれか１項に記載の方法。
【請求項９】
前記配分されたＢＲＢＧは、アップリンク信号を送信するために用いられることを特徴とする請求項１ないし７のいずれか１項に記載の方法。
【請求項１０】
時間領域のＢＲＢＧは、優先的に配分されることを特徴とする請求項９記載の方法。
【請求項１１】
連続する周波数領域のＢＲＢＧは、時間領域のＢＲＢＧが前記サービス要求に一致しない場合、優先的に配分されることを特徴とする請求項１０記載の方法。
【請求項１２】
前記サービス要求が、サービスデータ速度またはサービスの品質（ＱoＳ）を含んでいることを特徴とする請求項１記載の方法。
【請求項１３】
ＢＲＢＧを含むＢＲＢ（ブロックリピートブロック）の数が、ＲＦに等しく、そして、このＲＦは、ＢＲＢＧのリピートファクターであることを特徴とする請求項１記載の方法。
【請求項１４】
ＢＲＢは、少なくとも１つの物理的リソ−スブロック（ＰＲＢ）からなり、ＢＲＢの大きさは、ブロックリピート調整のブロックユニットの大きさに相当することを特徴とする請求項１３記載の方法。
【請求項１５】
隣接セル間の複数のＢＲＢＧの配分が同一であることを特徴とする請求項１３記載の方法。
【請求項１６】
さらに、セルの複数のＢＲＢＧの配分が変更されると、変更した前記ＢＲＢＧの配分を隣接セルに知らせ、
前記隣接セルによって、前記隣接セルのＢＲＢＧの配分を更新する、各工程を含むことを特徴とする請求項１５記載の方法。
【請求項１７】
ブロックリピートディビジョン多重アクセスに基づく資源配分装置であって、
ユーザーのサービス要求に従って利用可能なＢＲＢＧを配分するように構成された、ＢＲＢＧ（ブロックリピートリソースブロックグループ）配分ユニットと、
前記ＢＲＢＧのＲＣ列を割り当てるように構成された、ＲＣ（リピートコード）列割当ユニットとを含むことを特徴とする資源配分装置。
【請求項１８】
前記ＢＲＢＧ配分ユニットは、利用可能なＢＲＢＧからユーザーのサービス要求に一致するＲＦ（リピートファクター）を有するＢＲＢＧを選択し、そして前記選択されたＢＲＢＧを配分するように構成されていることを特徴とする請求項１７記載の装置。
【請求項１９】
利用可能なＢＲＢＧが、ユーザーのサービス要求に一致するＲＦを有するＢＲＢＧを含むかどうかを決定するように構成された決定ユニットを更に含み、該決定ユニットは、
利用可能なＢＲＢＧが、ユーザーのサービス要求に一致するＲＦを有するＢＲＢＧを含む場合、前記ＢＲＢＧ配分ユニットをトリガーして動作させ、
利用可能なＢＲＢＧが、ユーザーのサービス要求に一致するＲＦを有するＢＲＢＧを含まない場合、別の動作をトリガーさせることを特徴とする請求項１８記載の装置。
【請求項２０】
さらに、利用可能なＢＲＢＧが、ユーザーのサービス要求に一致するＲＦを有するＢＲＢＧを含まないとき、ユーザーのサービス要求よりも高いＲＦを有するＢＲＢＧを選択し、そして、選択されたＢＲＢＧを配分するように構成された、第１配分ユニットを含むことを特徴とする請求項１９記載の装置。
【請求項２１】
さらに、利用可能なＢＲＢＧが、ユーザーのサービス要求に一致するＲＦを有するＢＲＢＧを含まないとき、ユーザーのサービス要求よりも高いＲＦを有するＢＲＢＧを減少させ、そして、ユーザーのサービス要求に一致するＲＦを有するＢＲＢＧを得て、得られたＢＲＢＧを配分するように構成された、第２配分ユニットを含むことを特徴とする請求項１９記載の装置。
【請求項２２】
さらに、利用可能なＢＲＢＧが、ユーザーのサービス要求に一致するＲＦを有するＢＲＢＧを含まないとき、ＢＲＢＧのＲＦを増加させ、ユーザーのサービス要求に一致するＲＦを有するＢＲＢＧを得て、そして、得られたＢＲＢＧを配分するように構成された、第３配分ユニットを含むことを特徴とする請求項１９記載の装置。
【請求項２３】
さらに、利用可能なＢＲＢＧが、ユーザーのサービス要求に一致するＲＦを有するＢＲＢＧを含まないとき、複数の利用可能なＢＲＢＧを選択し、該ＢＲＢＧの各ＲＦの合計をユーザーのサービス要求に一致させ、そして、前記複数の利用可能なＢＲＢＧを配分するように構成された、第４配分ユニットを含むことを特徴とする請求項１９記載の装置。
【請求項２４】
前記ＲＣ列割当ユニットは、前記配分された複数の利用可能なＢＲＢＧの各ＲＦに対応するＲＣ列から複数の利用可能なＲＣ列を選択し、連結されたＲＣ列を得るために、前記複数のＢＲＢＧが配分されると同一の順序で前記選択された複数のＲＣ列を連結し、連結されたＲＣ列を割り当てるように構成されていることを特徴とする請求項２３記載の装置。
【請求項２５】
前記ＲＣ列割当ユニットは、配分されたＢＲＢＧのＲＦに対応するＲＣ列グループから１つの利用可能なＲＣ列を選択し、そして、選択された前記ＲＣ列を割り当てるように構成されていることを特徴とする請求項１７ないし２２のいずれか１項に記載の装置。
【請求項２６】
ブロックリピートディビジョン多重アクセスに基づく資源管理方法であって、
所定時間、セルの動作環境を検出し、
前記セルの動作環境に従って前記セルの複数のＢＲＢＧ（ブロックリピートリソースブロックグループ）におけるＢＲＢ（ブロックリピートブロック）の数を調整する、各工程を含むことを特徴とする資源管理方法。
【請求項２７】
前記所定時間にわたる前記セルの動作負荷の平均値が、計算されることを特徴とする請求項２６記載の方法。
【請求項２８】
前記セルの動作負荷の平均値が、第１閾値より大きい場合、ＢＲＢＧにおけるＢＲＢの数を減少させ、また、前記セルの動作負荷の平均値が、第２閾値より小さい場合、ＢＲＢＧにおけるＢＲＢの数を増加させることを特徴とする請求項２７記載の方法。
【請求項２９】
前記所定時間にわたる前記セルの測定された障害の平均値が、計算されることを特徴とする請求項２６記載の方法。
【請求項３０】
前記セルの測定された障害の平均値が、第３閾値より大きい場合、複数のＢＲＢＧにおけるＢＲＢの数を増加させ、また、前記セルの測定された障害の平均値が、第４閾値より小さい場合、複数のＢＲＢＧにおけるＢＲＢの数を減少させることを特徴とする請求項２９記載の方法。
【請求項３１】
ＢＲＢＧの一部分の各ＲＦ（リピートファクター）は、リピート調整のために複数のＢＲＢの数を増すように増加されることを特徴とする請求項２８または請求項３０に記載の方法。
【請求項３２】
さらに、増加したＲＦを有するＢＲＢＧのＲＣ（リピートコード）列グループを更新することを特徴とする請求項３１記載の方法。
【請求項３３】
前記ＢＲＢＧのＲＦが増加された後、増加したＲＦに対応するＲＣ列グループが決定され、そして、前記ＢＲＢＧのＲＣ列グループが、対応するＲＣ列グループとともに更新されることを特徴とする請求項３２記載の方法。
【請求項３４】
前記ＢＲＢＧの一部分の各ＲＦは、リピート調整のために複数のＢＲＢの数を減らすように減少されることを特徴とする請求項２８または請求項３０に記載の方法。
【請求項３５】
さらに、減少されたＲＦを有するＢＲＢＧのＲＣ列グループを更新する工程を含むことを特徴とする請求項３４記載の方法。
【請求項３６】
前記ＢＲＢＧのＲＦが減少された後、減少したＲＦに対応するＲＣ列グループが決定され、そして、前記ＢＲＢＧのＲＣ列グループが、対応するＲＣ列グループとともに更新されることを特徴とする請求項３５記載の方法。
【請求項３７】
ブロックリピートディビジョン多重アクセスに基づく資源管理装置であって、
所定時間、セルの動作環境を検出するように構成された検出ユニットと、
前記セルの動作環境に従って前記セルの複数のＢＲＢＧ（ブロックリピートリソースブロックグループ）におけるＢＲＢ（ブロックリピートブロック）の数を調整するように構成された調整ユニットとを含むことを特徴とする資源管理装置。
【請求項３８】
前記検出ユニットは、前記所定時間にわたる前記セルの動作負荷の平均値を計算するように構成されていることを特徴とする請求項３７記載の装置。
【請求項３９】
前記調整ユニットは、前記セルの動作負荷の平均値が、第１閾値より大きい場合、ＢＲＢＧにおけるＢＲＢの数を減少させ、また、前記セルの動作負荷の平均値が、第２閾値より小さい場合、ＢＲＢＧにおけるＢＲＢの数を増加させるように構成されていることを特徴とする請求項３８記載の装置。
【請求項４０】
前記所定時間にわたる前記セルの測定された障害の平均値を計算するように構成されていることを特徴とする請求項３７記載の装置。
【請求項４１】
前記調整ユニットは、前記セルの測定された障害の平均値が、第３閾値より大きい場合、複数のＢＲＢＧにおけるＢＲＢの数を増加させ、また、前記セルの測定された障害の平均値が、第４閾値より小さい場合、複数のＢＲＢＧにおけるＢＲＢの数を減少させるように構成されていることを特徴とする請求項４０記載の装置。
【請求項４２】
前記調整ユニットは、リピート調整のために複数のＢＲＢの数を増すために、前記複数のＢＲＢＧの一部分の各ＲＦを増加するように構成されていることを特徴とする請求項３９または請求項４１に記載の装置。
【請求項４３】
さらに、増加したＲＦを有するＢＲＢＧのＲＣ列グループを更新するように構成された第１ＲＣ列更新ユニットを含むことを特徴とする請求項４２記載の装置。
【請求項４４】
前記第１ＲＣ列更新ユニットは、前記ＢＲＢＧのＲＦが増加された後、増加したＲＦに対応するＲＣ列グループが決定され、そして、対応するＲＣ列グループとともに前記ＢＲＢＧのＲＣ列グループを更新するように構成されていることを特徴とする請求項４３記載の装置。
【請求項４５】
前記調整ユニットは、リピート調整のために複数のＢＲＢの数を減らすように、前記複数のＢＲＢＧの一部分の各ＲＦを減少させるように構成されていることを特徴とする請求項３９または請求項４１に記載の装置。
【請求項４６】
さらに、減少されたＲＦを有するＢＲＢＧのＲＣ列グループを更新するように構成された第２ＲＣ列更新ユニットを含むことことを特徴とする請求項４５記載の装置。
【請求項４７】
前記第２ＲＣ列更新ユニットは、前記ＢＲＢＧのＲＦが減少された後、減少したＲＦに対応するＲＣ列グループを決定し、そして、対応するＲＣ列グループとともに前記ＢＲＢＧのＲＣ列グループを更新するように構成されていることを特徴とする請求項４６記載の装置。
【発明の詳細な説明】
【技術分野】
【０００１】
本出願は、２００７年９月３０日に中国特許庁に出願された発明の名称「ブロックリピートディビジョンへの多重アクセスに基づく資源配分／管理方法及び装置」（中国出願番号第200710151359.9号）及び２００７年１０月３０日に中国特許庁に出願された発明の名称「ブロックリピートディビジョンへの多重アクセスに基づく資源配分／管理方法及び装置」（中国出願番号第200710164390.6号）の利益を主張し、これらの内容は、参考文献としてここに包含される。
【０００２】
本発明は、移動通信システムにおける資源管理の分野に関し、特に、ブロックリピートディビジョンへの多重アクセスに基づく資源配分／管理方法及び装置及び資源配分／管理方法を用いるベースステーションに関する。
【背景技術】
【０００３】
直交周波数分割多重（ＯＦＤＭ）は、エアインターフェースのための基本技術としての未来通信システムに広く用いられる。
【０００４】
ＯＦＤＭの変調方式において、マルチユーザーの多重化及び多重アクセスは、１つのＯＦＤＭシンボルにおける多数の地域電話会社（orthogonal sub-carriers）を用いて達成される。ＯＦＤＭシステムにおいて、同一セル内の異なるユーザーのために割り当てられた地域電話会社は、互いに直交される。これにより、多重アクセス障害を避ける。しかし、同一週は数に隣接セルが動作するとき、セル間のユーザーは、特に、複数セルの端部にいるユーザーは、混信障害を受け、ユーザーの通信品質の重大な悪化を導くことになる。
【０００５】
上記問題を解決するために、「ブロックリピートディビジョン多重アクセス」は、新規で有効な多重アクセス方式として提案されている。ブロックリピート（ＢＲ）に基づく情報送信は、ブロックリピート送信と呼ばれている。ブロックリピートに基づく多重化は、ブロックリピートディビジョン多重化（ＢＲＤＭ）と呼ばれている。ブロックリピートに基づく多重アクセスは、ブロックリピートディビジョン多重アクセス（ＢＲＤＭＡ）と呼ばれている。ＢＲＤＭＡ及びＯＦＤＭの組合せは、ブロックリピート−直交周波数分割多重化（ＢＲ−ＯＦＤＭ）またはブロックリピート−直交周波数分割多重アクセス（ＢＲ−ＯＦＤＭＡと呼ぶことができる。
【０００６】
ＢＲ−ＯＦＤＭにおいて、データブロックユニットは、調整され、そして、基本ブロックユニット（ＢＵ）内にマップされる。基本ブロックユニットは、多数の調整繰り返しに従って、重み付けされかつ繰り返され、そして、繰り返されたブロックユニットのグループが得られる。重み付け要素および繰り返し調整のグループ群による基本ブロックユニットにおけるデータブロックユニットの多重化によって、繰り返されたブロックユニットのグループを得ることができる。
【０００７】
これにより、基本ブロックユニットのグループの重み付け及び繰り返しが実現される。多数の調整繰り返しは、リピートファクター（ＲＦ）と呼ばれる。そして、重み付け要素の組は、ブロックリピート重み付けファクター列、又はリピートコード（ＲＣ）列と呼ばれる。リピートブロックユニットによって取り込まれる時間周波数リソースは、ブロックリピートリソースブロック（ＢＲＢ）と呼ばれる。このＢＲＢは、１つのデータブロックを運ぶことができ、多重ＢＲＢは、多重データブロックに対応するブロックリピートリソースブロックグループ（ＢＲＢＧ）を構成する。
【０００８】
多重ユーザーは、繰り返しブロックユニットに送信するために、同時に周波数リソースを時間分割するとき、異なるＲＣ列が重み付けされて各ユーザーに対して用いられる。受け手は、彼らの独自のＲＣ列に従って異なるユーザーの繰り返されたブロックユニットを分離することができる。それゆえ、同時に周波数リソースを動作させる隣接セルのユーザー間の障害が減少され、信号送信の信頼性を改善できる。
しかし、適切な資源配分／管理方法に基づくＢＲＤＭＡは、まだ提案されていない。
【発明の概要】
【発明が解決しようとする課題】
【０００９】
それゆえ、ＢＲＤＭＡ下の資源配分／管理方法を解決するために、本発明によって解決すべき技術的問題は、資源配分／管理方法に基づくＢＲＤＭＡを提供することである。
【００１０】
本発明による別の技術的問題は、資源配分／管理装置に基づくＢＲＤＭＡを提供する。
上記本発明によって与えられる技術的解決は、以下に記載される。
【課題を解決するための手段】
【００１１】
資源配分方法に基づくＢＲＤＭＡは、ユーザーのサービス要求に従って、利用可能なＢＲＢＧを配分し、このＢＲＢＧに対するＲＣ列を割り当てる、各工程を含んでいる。
好ましくは、ユーザーのサービス要求に一致するＲＦを有するＢＲＢＧは、利用可能なＢＲＢＧから選択され、そして、選択されたＢＲＢＧが配分される。
【００１２】
１つの実施形態において、利用可能なＢＲＢＧが、ユーザーのサービス要求に一致するＲＦを有するＢＲＢＧを含まない場合、ユーザーのサービス要求よりも高いＲＦを有するＢＲＢＧを選択し、そして、選択されたＢＲＢＧが配分される。
【００１３】
１つの実施形態において、利用可能なＢＲＢＧが、ユーザーのサービス要求に一致するＲＦを有するＢＲＢＧを含まない場合、ユーザーのサービス要求よりも高いＲＦを有するＢＲＢＧのＲＦを減少させ、ユーザーのサービス要求に一致するＲＦを有するＢＲＢＧを得て、そして、得られたＢＲＢＧを配分する。
【００１４】
１つの実施形態において、利用可能なＢＲＢＧが、ユーザーのサービス要求に一致するＲＦを有するＢＲＢＧを含まない場合、ＢＲＢＧのＲＦを増加させ、ユーザーのサービス要求に一致するＲＦを有するＢＲＢＧを得て、そして、この得られたＢＲＢＧを配分する。
【００１５】
１つの実施形態において、利用可能なＢＲＢＧが、ユーザーのサービス要求に一致するＲＦを有するＢＲＢＧを含まない場合、複数の利用可能なＢＲＢＧｓが選択され、利用可能なＢＲＢＧｓのＲＦｓの合計値をユーザーのサービス要求に一致させ、そして、複数の利用可能なＢＲＢＧｓを配分する。
【００１６】
１つの実施形態において、複数の利用可能なＲＣ列が、配分された複数の利用可能なＢＲＢＧｓのＲＦｓに対応するＲＣ列から選択され、選択された複数のＲＣ列は、複数のＢＲＢＧｓが配分されると同一の順序で連結され、連結したＲＣ列を得て、そして、連結されたＲＣ列を割り当てる。
【００１７】
１つの実施形態において、利用可能なＲＣ列が、配分されたＢＲＢＧのＲＦに対応するＲＣ列のグループから選択され、そして、選択されたＲＣ列が割り当てられる。
１つの実施形態において、配分されたＢＲＢＧは、アップリンク信号を送信するために用いられる。
【００１８】
好ましくは、時間領域ＢＲＢＧｓは、優先的に配分され、そして、連続する周波数領域は、時間領域のＢＲＢＧが前記サービス要求に一致しない場合、優先的に配分される。
このサービスの要求は、サービスデータ速度の要求またはサービスの品質（ＱｏＳ）を含む。
【００１９】
ＢＲＢＧは、ブロックリピートブロック（ＢＲＢｓ）のＲＦを含み、ＲＦは、ＢＲＢＧのリピート要素である。
ＢＲＢは、少なくとも１つの物理的リソースブロック（ＰＲＢ）を含み、ＢＲＢの大きさは、ブロックリピート調整のブロックユニットの大きさに相当する。
【００２０】
好ましくは、隣接セル間のＢＲＢＧｓの配分は、同一であり、セルのＢＲＢＧｓの配分が変化する場合、隣接セルは、セルのＢＲＢＧｓの変化した配分を知らされ、そして、隣接セルは、ＢＲＢＧｓに従う配分を更新する。
【００２１】
資源配分装置に基づくＢＲＤＭＡは、
ユーザーのサービス要求に従って利用可能なＢＲＢＧを配分するようにしたＢＲＢＧ配分ユニットと、
前記ＢＲＢＧのためのＲＣ列を割り当てるように構成したＲＣ列割当ユニットとを含む。
【００２２】
好ましくは、ＢＲＢＧ配分ユニットは、利用可能なＢＲＢＧからユーザーのサービス要求に一致するＲＦを有するＢＲＢＧを選択し、そして、選択されたＢＲＢＧを配分するように構成されている。
【００２３】
１つの実施形態において、本装置は、更に、利用可能なＢＲＢＧが、ユーザーのサービス要求に一致するＲＦを有するＢＲＢＧを含むかどうかを決定するように構成された決定ユニットを含む。
【００２４】
そして、利用可能なＢＲＢＧが、ユーザーのサービス要求に一致するＲＦを有するＢＲＢＧを含む場合、ＢＲＢＧ配分ユニットを動作させるためにトリガーする。
利用可能なＢＲＢＧが、ユーザーのサービス要求に一致するＲＦを有するＢＲＢＧを含まない場合、別の動作をトリガーする。
【００２５】
１つの実施形態において、本装置は、ユーザーのサービス要求よりも高いＲＦを有するＢＲＢＧを選択するように構成された、第１配分ユニットを更に含む。そして、利用可能なＢＲＢＧが、ユーザーのサービス要求に一致するＲＦを有するＢＲＢＧを含まないとき、選択されたＢＲＢＧを配分する。
【００２６】
１つの実施形態において、本装置は、ユーザーのサービス要求に一致するＲＦを有するＢＲＢＧを得るために、ユーザーのサービス要求よりも高いＲＦを有するＢＲＢＧのＲＦが減少するように構成された、第２配分ユニットを更に含む。そして、利用可能なＢＲＢＧが、ユーザーのサービス要求に一致するＲＦを有するＢＲＢＧを含まないとき、得られたＢＲＢＧを配分する。
【００２７】
１つの実施形態において、本装置は、ユーザーのサービス要求に一致するＲＦを有するＢＲＢＧを得るためにＢＲＢＧのＲＦを増加させるように構成された、第３配分ユニットを更に含む。そして、利用可能なＢＲＢＧが、ユーザーのサービス要求に一致するＲＦを有するＢＲＢＧ含まないとき、得られたＢＲＢＧを配分する。
【００２８】
１つの実施形態において、本装置は、複数の利用可能なＢＲＢＧｓを選択するために構成した、第４配分ユニットを更に含む。利用可能なＢＲＢＧｓのＲＦｓの合計値が、ユーザーのサービス要求に一致し、そして、利用可能なＢＲＢＧが、ユーザーのサービス要求に一致するＲＦを有するＢＲＢＧを含まないとき、複数の利用可能なＢＲＢＧを配分する。
【００２９】
１つの実施形態において、ＲＣ列割当ユニットは、配分された複数の利用可能なＢＲＢＧｓのＲＦｓに対応するＲＣ列から複数の利用可能なＲＣ列を選択し、連結されたＲＣ列を得るために、複数のＢＲＢＧｓが配分されると同一の順序で前記選択された複数のＲＣ列を連結し、そして、連結されたＲＣ列を割り当てるように構成されている。
【００３０】
１つの実施形態において、ＲＣ列割当ユニットは、配分されたＢＲＢＧのＲＦに対応するＲＣ列のグループから利用可能なＲＣ列を選択し、そして、選択されたＲＣ列を割り当てるように構成されている。
【００３１】
資源管理方法に基づくＢＲＤＭＡは、所定時間、セルの動作環境を検出し、セルの動作環境に従って、セルのＢＲＢＧｓのＢＲＢｓの数を調整する、各工程を含む。
【００３２】
１つの実施形態において、所定時間にわたるセルの動作負荷の平均値が計算される。そして、セルの動作負荷の平均値が第１閾値より大きい場合、ＢＲＢＧｓのＢＲＢｓの数が減少され、セルの動作負荷の平均値が第２閾値より小さい場合、ＢＲＢＧｓのＢＲＢｓの数が増加される。
【００３３】
１つの実施形態において、所定時間にわたるセルの測定された障害の平均値が計算される。そして、セルの測定された障害の平均値が第３閾値より大きい場合、ＢＲＢＧｓのＢＲＢｓの数が増加され、セルの測定された障害の平均値が第４閾値より小さい場合、ＢＲＢＧｓのＢＲＢｓの数が減少される。
【００３４】
１つの実施形態において、ＢＲＢＧｓの一部のＲＦｓが、リピート調整のためのＢＲＢｓの数を増加すように増加される。
【００３５】
１つの実施形態において、この方法は、増加したＲＦを有するＢＲＢＧのＲＣ列グループを更新する工程を含む。
【００３６】
１つの実施形態において、ＢＲＢＧのＲＦが増加した後、増加したＲＦに対応するＲＣ列グループが決定され、そして、ＢＲＢＧのＲＣ列グループが、対応するＲＣ列グループと共に更新される。
【００３７】
１つの実施形態において、ＢＲＢＧｓの一部のＲＦｓが、リピート調整のためにＢＲＢｓの数を減らすように減少される。
１つの実施形態において、この方法は、さらに、減少したＲＦを有するＢＲＢＧのＲＣ列グループを更新する工程を含む。
【００３８】
１つの実施形態において、ＢＲＢＧのＲＦが減少された後、減少したＲＦに対応するＲＣ列グループが決定され、そして、ＢＲＢＧのＲＣ列グループが、対応するＲＣ列グループとともに更新される。
【００３９】
資源管理装置に基づくＢＲＤＭＡは、所定時間、セルの動作環境を検出するように構成された検出ユニットと、前記セルの動作環境に従って前記セルのＢＲＢＧｓのＢＲＢｓの数を調整する調整ユニットを含む。
【００４０】
１つの実施形態において、前記検出ユニットは、前記所定時間にわたるセルの動作負荷の平均値を計算するように構成される。そして、前記調整ユニットは、セルの動作負荷の平均値が第１閾値より大きい場合、ＢＲＢＧｓのＢＲＢｓの数を減少させ、かつセルの動作負荷の平均値が第２閾値より小さい場合、ＢＲＢＧｓのＢＲＢｓの数を増加させるように構成される。
【００４１】
１つの実施形態において、所定時間にわたるセルの測定された障害の平均値が計算される。そして、調整ユニットは、セルの測定された障害の平均値が第３閾値より大きい場合、ＢＲＢＧｓのＢＲＢｓの数を増加させ、かつセルの測定された障害の平均値が第４閾値より小さい場合、ＢＲＢＧｓのＢＲＢｓの数を減少させるように構成される。
【００４２】
１つの実施形態において、前記調整ユニットは、リピート調整のためのＢＲＢｓの数を増加するために、ＢＲＢＧｓの一部のＲＦｓを増加するように構成される。
１つの実施形態において、この装置は、増加したＲＦを有するＢＲＢＧのＲＣ列グループを更新するように構成された第１ＲＣ列更新ユニットをさらに含む。
【００４３】
１つの実施形態において、第１ＲＣ列更新ユニットは、ＢＲＢＧのＲＦが増加された後、増加したＲＦに対応するＲＣ列グループを決定し、そして、ＢＲＢＧのＲＣ列グループを、対応するＲＣ列グループと共にアップデートするように構成される。
【００４４】
１つの実施形態において、調整ユニットは、リピート調整のためのＢＲＢｓの数を減らすように、ＢＲＢＧｓの一部のＲＦｓを減少させるように構成される。
１つの実施形態において、この装置は、さらに、減少されたＲＦを有するＢＲＢＧのＲＣ列グループを更新するように構成された、第２ＲＣ列更新ユニットを含む。
【００４５】
１つの実施形態において、第２ＲＣ列更新ユニットは、ＢＲＢＧのＲＦが減少された後、減少したＲＦに対応するＲＣ列グループを決定し、そして、ＢＲＢＧのＲＣ列グループを対応するＲＣ列グループとともに更新するように構成される。
【００４６】
それゆえ、本発明は、ＢＲＤＭＡにおける資源配分／管理問題を解決する資源配分／管理解決法に基づく明白なＢＲＤＭＡを提供する。
【発明の効果】
【００４７】
本発明により与えられる資源配分／管理解決法を用いることにより、時間および周波数のリソースは、有効に利用され、そして、ユーザーのための通信の信頼性を改善することができる。更に、この資源配分／管理解決法は、ユーザーの通信信頼性及びセル容量間の関係を柔軟にかつ有効に調整することができる。
【図面の簡単な説明】
【００４８】
【図１】図１は、ＢＲＤＭＡにおけるＰＲＢの構造図である。
【図２−１】図２−１は、ＢＲＢＧの第１構成図である。
【図２−２】図２−２は、ＢＲＢＧの第２構成図である。
【図２−３】図２−３は、ＢＲＢＧの第３構成図である。
【図２−４】図２−４は、ＢＲＢＧの第４構成図である。
【図３】図３は、ＢＲＢＧを形成するＢＲＢｓを示す図である。
【図４】図４は、本発明による資源管理方法のフローチャート図である。
【図５】図５は、２つのＢＲＢＧｓの結合を示す図である。
【図６】図６は、本発明による資源管理装置を示す図である。
【図７】図７は、本発明による資源配分方法のフローチャート図である。
【図８】図８は、本発明による資源配分装置を示す図である。
【発明を実施するための最良の形態】
【００４９】
無線通信システムにおいて、無線資源管理の目的は、２つあり、資源の有効利用と通信システム品質の保証である。一般的に、無線資源管理の戦略は、根本的な技術に密接に関連している。異なる送信技術は、資源管理の方法に反映する、異なる資源配分を用いる。
【００５０】
さらに、異なる技術は、異なる障害の抑制及び調整方法を用いており、この方法は、資源配分の戦略に反映される。例えば、周波数分割多重アクセス（ＦＤＭＡ）又は時間分割多重アクセス（ＴＤＭＡ）システムにおいて、ユーザーの分化及び多重アクセスは、時間資源および周波数資源の配分によって実現される。コード分割多重アクセス（ＣＤＭＡ）システムにおいて、ユーザーの分化及び多重アクセスは、チャンネル資源の配分によって実現される。
【００５１】
ＯＦＤＭ調整システムにおいて、チャンネル資源は、二次元の時間−周波数構造を有する。ＢＲＤＭＡにおいて、物理的資源ブロック（ＰＲＢ）は、物理的レイヤーに送信データをマッピングする基本的な時間−周波数配分ユニットであり、また、時間−周波数配分ユニットである。ＰＲＢの構造は、図１に示されている。このＰＲＢは、時間領域における連続的なＯＦＤＭ記号のＮＴと、周波数領域における連続的なＯＦＤＭ記号のＮＦとを含む。
【００５２】
ＰＲＢは、送信信号のための時間−周波数ロケーションとして、Ｎ＝ＮＴ×ＮＦで与えられる。各時間−周波数ロケーションは、１つの調整記号を送信する。図に示すように、ＰＲＢは、全ＯＦＤＭの時間−周波数資源に係わり、かつ全ＯＦＤＭの時間−周波数資源は、１つ以上のＰＲＢｓを含む。
【００５３】
一般的に、１つまたは数個のＰＲＢ構造は、通信システム仕様を展開する場合に形成され、このＰＲＭの形成は、統計的でありかつ時間スロット構造、フレーム構造、サブキャリア間隔等に関係する。ＰＲＢの大きさは、システムが作動中に変わることはない。
【００５４】
ＢＲ‐ＯＦＤＭシステムにおいて、ＢＰＢは、ブロックリピート調整のための基本的な物理的資源であり、固定の大きさを有する。ＢＰＢは、ＰＲＢによって構成でき、又は、多重の連続するＰＲＢｓによって構成することができる。ＢＰＢは、時間領域における連続するＰＲＢｓ、または周波数領域における連続するＰＲＢｓ、または時間領域と周波数領域の両方に連続するＰＲＢｓによって形成することができる。
【００５５】
注目すべきことは、ＢＲＤＭＡにおけるＰＲＢは、存在するＯＦＤＭ調整システムにおける物理的資源ブロックと異なることである。実際、存在するＯＦＤＭ調整システムにおける物理的資源ブロックは、本発明のＰＲＢとして用いることができる。しかし、ある場合、ＢＲＤＭＡにおけるＰＲＢは、ＢＲＤＭＡの基本的な時間−周波数資源として、存在するＯＦＤＭ調整システムにおいて、物理的資源ブロックを用いることなく、カスタマイズすることができる。
【００５６】
ＢＲＢｓのグループは、ブロックリピートリソースブロックグループ（ＢＲＢＧ）と呼ぶことができる。時間領域のみにおいて繰り返すＢＲＢｓを有するＢＲＢＧは、時間領域のＢＲＢＧと呼ぶことができる。図２−１及び図２−２は、時間領域ＢＲＢＧの２つの図である。周波数領域のみにおいて繰り返すＢＲＢｓを有するＢＲＢＧは、周波数領域のＢＲＢＧと呼ぶことができる。図２−３及び図２−４は、周波数領域ＢＲＢＧの２つの図である。
【００５７】
図で示すように、ＢＲＢＧを形成するＢＲＢｓは、時間領域および／または周波数領域において、連続しているか連続していないかである。時間領域において連続する、ＢＲＢｓを有するＢＲＢＧは、時間領域の連続ＢＲＢＧ（図２−１に示されている）と呼ぶことができる。周波数領域において連続する、ＢＲＢｓを有するＢＲＢＧは、周波数領域の連続ＢＲＢＧ（図２−３に示されている）と呼ぶことができる。時間領域及び周波数領域において連続する、ＢＲＢｓを有するＢＲＢＧは、時間−周波数の連続するＢＲＢＧと呼ぶことができる。
【００５８】
図に示すように、ＢＲＢＧのＲＦは、ＢＲＢＧの調整繰り返しの数であり、これは、また、ＢＲＢＧに含まれる繰り返し調整のためのＢＲＢｓの数を示す。また、多重ＢＲＢＧｓは、それらが同一のＲＦを有する限り、たとえ、異なる時間−周波数ロケーションであったとしても、繰り返し調整のためのＢＲＢｓの数は、同一である。
【００５９】
ＢＲＢＧのＲＦの変化は、ＢＲＢＧに含まれるＢＲＢｓの数の変化を意味する。ＢＲＢＧのＲＦが増加すると、ＢＲＢＧに含まれるＢＲＢｓの数が増加する。また、ＢＲＢＧのＲＦが減少すると、ＢＲＢＧに含まれるＢＲＢｓの数が減少する。
【００６０】
図３に示すように、６つのＢＲＢは、３つのＢＲＢＧに分割される。ＢＲＢＧ１は、３つのＢＲＢを含み、そして、３つのＲＦを有する。ＢＲＢＧ２は、２つのＢＲＢを含み、そして、２つのＲＦを有する。ＢＲＢＧ３は、１つのＢＲＢを含み、そして、１つのＲＦを有する。
【００６１】
時間資源の配分において、データ速度と品質におけるユーザーの要求に従って、時間資源は、ＢＲＢＧｓにおいてユーザーに対して配分される。ユーザーは、１つ以上のＢＲＢＧを配分される。異なるユーザーのために配分されるＢＲＢＧｓは、同一のＲＦｓ又は異なるＲＦｓを有する。時間資源の管理は、また、ＢＲＢＧｓにおいて実行される。
【００６２】
図に示すように、１つのセルにおける利用可能な時間資源は、制限されている。ＢＲＤＭＡにおいてデータを送信するとき、ブロックユニットのリピート調整のためのＢＲＢｓの数が増加する場合、それらが、ユーザーのデータのリピート調整および送信に用いられるに従って、ユーザーに対する通信の信頼性を改善することができる。しかし、セルが同時に送信できるブロックユニットの数は、減少することになる。これによって、セルの容量は減少する。それゆえ、通信の信頼性およびセルの容量は、資源管理において調整されなければならない。
【００６３】
さらに、隣接セルの結合検出を容易にするために、セルのＢＲＢＧ配分を同一にすべきである。セルのＢＲＢＧ配分が変化すると、その隣接セルは、セルのＢＲＢＧ配分が変化したことを知る必要があり、従って、これらのＢＲＢＧ配分をアップデートする。
【００６４】
特に、セルのＢＲＢＧ配分が変化する場合、変化したＢＲＢＧ配分は、無線ネットワークコントローラ（ＲＮＣ）又はコアネットワークを介して隣接セルに与えられ、代わりに、変化したＢＲＢＧ配分は、ベースステーション間のインターフェースを介して隣接セルに与えられる。
【００６５】
当業者が本発明の資源管理方法をより理解するために、この資源管理方法は、以下の実施形態に関連して詳細に記載される。
【００６６】
図４は、本発明による資源管理方法のフローチャート図を示す。ステップ４１において、セルの動作環境は、所定時間で検出される。ステップ４２において、セルのＢＲＢＧｓにおけるＢＲＢｓの数は、セルの動作環境にしたがって調整される。
【００６７】
セルの動作環境は、パラメータで表すことができ、このパラメータは、セルの動作負荷またはセルが曝される障害に制限されるものではない。資源管理を実行するために、特に、ＢＲＢＧｓにおけるＢＲＢｓの数は、パラメータ又は多重パラメータを考慮に入れて調整することができる。
【００６８】
資源管理がセルの動作負荷に従って実行されるとき、所定時間にわたる動作負荷の平均値が用いられる。第１に、所定時間にわたる動作負荷の平均値が計算され、そして、得られた平均値は、２つプリセット閾値（負荷の上限値と負荷の下限値）と比較される。
【００６９】
得られた平均値が、負荷の上限値より大きい場合、セルは動作中であることを示す。そして、ＢＲＢＧｓにおけるＢＲＢｓは、セルの容量を改善しかつセルの負荷を低下させるようにリリースされる。
得られた平均値が、負荷の下限値より小さい場合、セルは、多数の働いていない資源を有することを示す。そして、ＢＲＢＧｓにおけるＢＲＢｓの数は、信号送信の信頼性を改善するように、増加させることができる。
【００７０】
セルが曝されている障害（混信）に従って、資源管理が実行されるとき、所定時間にわたってセルが曝されている障害の平均値が用いられる。第１に、所定時間にわたってセルが曝されている障害の平均値が計算され、そして、得られた平均値は、２つプリセット閾値（障害の上限値と障害の下限値）と比較される。
【００７１】
得られた平均値が、障害の上限値より大きい場合、セルは重大な外部障害を有していることを示す。そして、ＢＲＢＧｓにおけるＢＲＢｓは、信号送信の信頼性を改善するように、増加される。
得られた平均値が、負荷の下限値より小さい場合、セルは、外部障害がわずかであることを示す。そして、ＢＲＢＧｓにおけるＢＲＢｓは、セルの容量を改善しかつセルの負荷を低減させるようにリリースされる。
【００７２】
ＢＲＢＧｓにおけるＢＲＢｓの数を増加するために多くの方法が利用可能である。そして、それらの１つは、ＢＲＢＧｓの一部分のＲＦｓを増加させることによって、ＢＲＢＧｓにおけるＢＲＢｓの数を増加することである。
【００７３】
１つのセルにおいて、そのセルの端部にいるユーザーにとって、信号強度が減少し、そして、障害が増加すると、信号送信の信頼性が、より大きなＲＦを有するＢＲＢＧを用いることにより改善することができる。セルの中心にいるユーザーにとって、信号強度が増加し、そして、障害が減少する。ＲＦ＝１を有するＢＲＢＧｓが用いられる。それゆえ、資源が配分される間、１より大きいＲＦｓを有するＢＲＢＧｓは、全ＢＲＢＧｓの一部分であり、セルの端部にいるユーザーのために用いることができる。また、ＲＦ＝１を有するＢＲＢＧｓの一部分は、セルの中心にいるユーザーのために用いることができる。注目すべきは、ＲＦ＝１を有するＢＲＢＧｓは、１つのＢＲＢを含み、それゆえ、それらは、通常のデータ送信のためのものであり、リピート調整のためには用いられない。
【００７４】
全体の時間−周波数資源は、ＲＦ＝１を有する８つのＢＲＢＧｓと、ＲＦ＝２を有する４つのＢＲＢＧｓと、ＲＦ＝４を有する２つのＢＲＢＧｓと、ＲＦ＝８を有する１つのＢＲＢＧとに分割されると仮定する。
【００７５】
ＢＲＢＧｓにおけるＢＲＢｓの数を増加するために、ＲＦ＝１を有するＢＲＢＧｓのＲＦｓのみを増加させることができる。例えば、ＲＦ＝１を有する３つのＢＲＢＧｓのＲＦｓを１だけ増加することができる。また、ＲＦ＝１を有する６つのＢＲＢＧｓを２つづつ結合することができ、そして、ＲＦ＝２を有する３つの新しいＢＲＢＧｓを得ることができる。調整された時間−周波数資源は、ＲＦ＝１を有する２つのＢＲＢＧｓ、ＲＦ＝２を有する7つのＢＲＢＧｓ、ＲＦ＝４を有する２つのＢＲＢＧｓ、およびＲＦ＝８を有する１つのＢＲＢＧである。
【００７６】
図５は、ＲＦ＝１を有する２つのＢＲＢＧｓを、ＲＦ＝２を有する１つのＢＲＢＧに結合することを示している。図５に示すように、ＲＦ＝１を有するＢＲＢＧ１を、ＲＦ＝１を有するＢＲＢＧ２に結合して、ＲＦ＝２を有する新しいＢＲＢＧ２が得られることが分かる。
【００７７】
ＢＲＢＧｓにおけるＢＲＢｓの数を増加するために、１よりも大きいＲＦｓを有するＢＲＢＧｓのＲＦｓを増加することができる。例えば、ＲＦ＝２、ＲＦ＝４、およびＲＦ＝８を有するＢＲＢＧｓのＲＦｓを１だけ増加することができる。それゆえ、ＲＦ＝１を有する７つのＢＲＢＧｓは、１よりも大きなＲＦｓを有するＢＲＢＧｓに結合することができる。そして、調整された時間−周波数資源は、ＲＦ＝１を有する１つのＢＲＢＧｓ、ＲＦ＝３を有する２つのＢＲＢＧｓ、ＲＦ＝５を有する２つのＢＲＢＧｓ、およびＲＦ＝９を有する１つのＢＲＢＧである。
【００７８】
代わりに、ＲＦ＝４、ＲＦ＝８を有するＢＲＢＧｓのＲＦｓを２だけ増加することができる。それゆえ、ＲＦ＝２を有する３つのＢＲＢＧｓを、２よりも大きなＲＦｓを有するＢＲＢＧｓに結合することができ、または、ＲＦ＝１を有する６つのＢＲＢＧｓを、２よりも大きなＲＦｓを有するＢＲＢＧｓに結合することができる。
【００７９】
以上のように、本システムの時間−周波数資源は制限されており、ＢＲＢＧｓの数を維持しながら、全てのＢＲＢＧｓのＲＦｓを増加させることは可能ではない。ＢＲＢＧｓの一部分のＲＦｓが増加することは、ＢＲＢＧｓにおける他の一部分のＲＦｓが減少することを意味する。ＢＲＢＧｓの一部分のＲＦｓがゼロに低下する場合、ＢＲＢＧｓのこの部分は、取り除かれる。ＢＲＢＧｓの数が減少すると、セルの容量が減少する。
【００８０】
注目すべきは、ＢＲＤＭＡにおいて、ＢＲＢＧｓのＲＦｓは、複数のＲＣ列に対応し、そして、複数のＲＣ列は、ＢＲＢＧのＲＣ列グループと呼ぶことができる。１つのＢＲＢＧが多重ユーザーに配分される場合、多重アクセスは、ＢＲＢＧの複数のＲＣ列に基づいて実現することができる。
【００８１】
ＲＣ列の対応するグループは、各ＲＦに対して予め割り当てられる。そして、ユーザーに対してＢＲＢＧを配分する際に、我々は、ＢＲＢＧのＲＦに対応するＲＣ列のグループから利用可能なＲＣ列を選択することができる。ここで、利用可能なＲＣ列は、ユーザーに割り当てられないＲＣ列である。
【００８２】
予め割り当てられたＲＣ列の利点は、ＲＣ列間に無関係またはほとんど関連しないことが保証されることである。さらに、同一のＲＦを有するＢＲＢＧｓは、同一のＲＣ列グループに対応することができる。そえゆえ、ＲＦｓとＲＣ列グループとの間に通信が確立される。この確立後、隣接セルは、ＲＦｓとＲＣ列グループとの間の通信を知ることにより、セル間のジョイント検出が可能になる。
【００８３】
ＢＲＢＧのＲＦが増加する場合、対応するＲＣ列グループは、増加したＲＦに従って決定され、そして、ＢＲＢＧのＲＣ列グループが更新される。
例えば、ＲＦ＝２（２つのＲＣ列を有する）を有するＢＲＢＧが、ＲＦ＝３を有するように調整される場合、ＲＣ列の数は、３つに調整できる。代わりに、ＢＲＢＧのＲＣ列の数は、ＲＦが増加する場合、調整されないかもしれないが、しかし、この場合、ＢＲＢＧの利用が低くなる。
【００８４】
ＢＲＢＧがＭ（Ｍ≧１、Ｍは整数である）ＲＣ列に相当することに注目すべきである。しかし、ＲＣ列間に無関係あるいはほとんど関係がないため、これは、Ｍ≦ＲＦ、即ち、ＢＲＢＧに対応するＲＣ列の数がそのリピートファクターより小さいことよりも良いことである。
それゆえ、ＢＲＢＧｓ一部分のＲＦｓを改善するための多くの解決法があることである。実際の資源管理では、特定の要求または戦略に基づいた解決法から選択することができる。更なる記載は、ここでは省略する。
【００８５】
ＢＲＢＧｓにおいて、ＢＲＢｓをリリースする方法を以下に記載する。
ＢＲＢＧｓの一部分または全てにおいて、ＢＲＢｓをリリースするのに、多くの方法が利用可能であり、それらの１つは、ＢＲＢＧｓの一部分のＲＦｓを減少させることによって、ＢＲＢＧｓにおけるＢＲＢｓの数を減少させることである。
【００８６】
全体の時間−周波数資源が、ＲＦ＝１を有する８つのＢＲＢＧｓ、ＲＦ＝２を有する４つのＢＲＢＧｓ、ＲＦ＝４を有する２つのＢＲＢＧｓ、ＲＦ＝８を有する１つのＢＲＢＧに分割されると仮定する。
【００８７】
ＢＲＢＧｓにおけるＢＲＢｓをリリースするために、ＲＦ＝２を有するＢＲＢＧｓのＲＦｓのみを減少させることができる。例えば、ＲＦ＝２を有する４つのＢＲＢＧｓを、ＲＦ＝１を有する８つのＢＲＢＧｓに分割することができ、調整された時間−周波数資源は、ＲＦ＝１を有する１６つのＢＲＢＧｓ、ＲＦ＝４を有する２つのＢＲＢＧｓ、ＲＦ＝８を有する１つのＢＲＢＧとなる。
【００８８】
代わりに、最も大きいＲＦを有するＢＲＢＧのＲＦを減少させることができる。例えば、ＲＦ＝８を有するＢＲＢＧｓを、ＲＦ＝１を有する８つのＢＲＢＧｓに分割することができ、調整された時間−周波数資源は、ＲＦ＝１を有する１６つのＢＲＢＧｓ、ＲＦ＝２を有する４つのＢＲＢＧｓ、ＲＦ＝４を有する２つのＢＲＢＧｓとなる。
【００８９】
代わりに、１よりも大きいＲＦを有する全てのＢＲＢＧｓのＲＦｓを減少させることができる。例えば、ＲＦ＝２を有するＢＲＢＧｓ、ＲＦ＝４を有するＢＲＢＧｓ、ＲＦ＝８を有するＢＲＢＧｓに分割して、これらのＲＦｓＲＦを１以下にすることができ、それにより、調整された時間−周波数資源は、ＲＦ＝１を有する３２のＢＲＢＧｓとなる。
【００９０】
注目すべきは、ＢＲＢＧｓのＲＦｓを減少させる場合、対応するＲＣ列グループは、減少したＲＦに従って決定され、そして、ＢＲＢＧｓのＲＣ列グループは更新される。
例えば、ＲＦ＝３（３つのＲＣ列を有する）を有するＢＲＢＧが、ＲＦ＝２を有するように調整される場合、ＢＲＢＧのＲＣ列の数は、２つに調整できる。代わりに、ＢＲＢＧのＲＣ列の数は、ＲＦが減少する場合、調整されないかもしれないが、しかし、この場合、ＲＣ列間の関連及びＢＲＤＭＡに対する欠点を生じることになる。
【００９１】
新しく導入されたＢＲＢＧに対して、ＢＲＢＧのＲＣ列グループは、ＢＲＢＧのＲＦに対応するＲＣ列グループに基づいて決定される。
【００９２】
注目すべきは、ＢＲＢＧｓ一部分のＲＦｓを減少するための多くの解決法があることである。そして、実際の資源管理では、特定の要求または戦略に基づいた解決法から選択することができる。更なる記載は、ここでは省略する。
【００９３】
図４の資源管理フローチャートに見られるように、ＢＲＢＧｓに対する調整は、一定間隔、すなわち、セルの動作環境のための検出時間で行われる。この検出時間は、特定の環境に基づいて設定され、長く、中間、または短くすることができる。検出時間が長く、または非常に長く設定された場合、ＢＲＢＧの調整期間は長くなり、又はＢＲＢＧは、調整されることなく固定される。検出時間が短く設定される場合、ＢＲＢＧの調整周波数は、迅速、または実時間調整に近くなる。
【００９４】
本発明によって与えられる資源管理方法の出願人は、特定の計画に関連して以下に記載する。以下は、セルの負荷が低いとした場合の方法の好ましい適用である。
【００９５】
ネットワークの負荷が低い場合、本発明によって提供される資源管理方法を用いて、ＢＲＢＧｓの設定を変えることができる。そして、使用されていない資源が、ユーザーに配分され、これにより、ユーザーのためのサービス品質及び信頼性を改善し、かつスケジューリングの複雑化を低減させることができる。
【００９６】
以下は、ホットスポットまたは孤立したスポットでの方法における別の適用である。
ホットスポットまたは孤立したスポットに対して、内部セル障害は、最も重要なファクターではなく、ＢＲＢＧｓに対する調整は、主として通信の信頼性及び受信地域を広げることである。セルの端部では、信号の検出能力は、ＢＲＢＧｓのＲＦｓを増加することによって改善される。切の中心部では、セル全体にわたりＢＲＢＧｓのＲＦｓを減少することによって改善される。
【００９７】
上記資源管理方法に基づいて、本発明は、資源管理装置に基づいたＢＲＤＭＡを提供する。図６は、資源管理装置の図を示している。
図６に示した資源管理装置は、検出ユニットＳ６１と調整ユニットＳ６２を含む。
【００９８】
検出ユニットＳ６１は、一定期間の間、セルの動作環境を検出するように構成される。調整ユニットＳ６２は、検出ユニットＳ６１によって検出されたセルの動作環境に従ってセルのＢＲＢＧｓにおけるＢＲＢｓの数を調整するように構成される。
【００９９】
セルの動作環境は、パラメータによって表される。このパラメータは、セルの動作環境、または、セルが受ける障害に限定されるものではない。資源管理の実行において、特に、ＢＲＢＧｓにおけるＢＲＢｓの数は、パラメータに従って、または多数のパラメータを一緒に考慮することで調整することができる。
【０１００】
資源管理が、セルの動作負荷に従って実行されるとき、所定時間にわたる動作負荷の平均値が用いられる。検出ユニットＳ６１は、最初、所定時間にわたるセルの動作負荷の平均値を計算し、そして、得られた平均値を負荷の設定上限値と設定下限値と比較する。
【０１０１】
得られた平均値が負荷の上限値よりも大きい場合、セルは使用中であり、セルの容量を改善しかつセルの負荷を低減するために、ＢＲＢＧｓにおけるＢＲＢｓが放出されなければならない。
得られた平均値が負荷の下限値よりも小さい場合、セルは資源が空いており、信号通信の信頼性を改善するために、ＢＲＢＧｓにおけるＢＲＢｓの数を増加させることができる。
【０１０２】
資源管理が、セルが受ける障害に従って実行されるとき、セルが所定時間受ける障害の平均値が用いられる。検出ユニットＳ６１は、最初、セルが所定時間にわたり受ける障害の平均値を計算し、そして、得られた平均値を障害の設定上限値と設定下限値と比較する。
【０１０３】
得られた平均値が障害の上限値よりも大きい場合、セルは、厳しい外部障害を有していることを示し、信号通信の信頼性を改善するために、ＢＲＢＧｓにおけるＢＲＢｓの数を増加させなければならない。
得られた平均値が負荷の下限値よりも小さい場合、セルは、外部障害がほとんどない状態を示しており、セルの容量を改善しかつセルの負荷を低減するために、ＢＲＢＧｓにおけるＢＲＢｓを放出することができる。
【０１０４】
ＢＲＢＧｓにおけるＢＲＢｓの数を増加するために、多くの方法が、調整ユニットＳ６２のために利用可能であり、そして、それらの１つは、ＢＲＢＧｓの一部分のＲＦｓを増加することによって、ＢＲＢＧｓにおけるＢＲＢｓの数を増加することである。
【０１０５】
全体の時間−周波数資源が、ＲＦ＝１を有する８つのＢＲＢＧｓ、ＲＦ＝２を有する４つのＢＲＢＧｓ、ＲＦ＝４を有する２つのＢＲＢＧｓ、ＲＦ＝８を有する１つのＢＲＢＧに分割されると仮定する。
【０１０６】
ＢＲＢＧｓにおけるＢＲＢｓの数を増加させると、調整ユニットＳ６２は、ＲＦ＝１を有するＢＲＢＧｓのＲＦｓのみ増加することができる。例えば、ＲＦ＝１を有する３つのＢＲＢＧｓのＲＦｓは、１だけ増加させることができる。ＲＦ＝１を有する６つのＢＲＢＧｓのＲＦｓのうち２つづつが、出現させることができ、そして、ＲＦ＝２を有する３つの新しいＢＲＢＧｓを得ることができる。調整された時間−周波数資源は、ＲＦ＝１を有する２つのＢＲＢＧｓ、ＲＦ＝２を有する7つのＢＲＢＧｓ、ＲＦ＝４を有する２つのＢＲＢＧｓ、ＲＦ＝８を有する１つのＢＲＢＧである。
【０１０７】
ＢＲＢＧｓにおけるＢＲＢｓの数を増加させると、調整ユニットＳ６２は、また、１より大きいＲＦｓを有するＢＲＢＧｓのＲＦｓを増加することができる。例えば、ＲＦ＝２、ＲＦ＝４、及びＲＦ＝８を有するＢＲＢＧｓのＲＦｓは、１だけ増加させることができる。それゆえ、ＲＦ＝１を有する7つのＢＲＢＧｓは、１より大きいＲＦｓを有するＢＲＢＧｓに結合される。そして、調整された時間−周波数資源は、ＲＦ＝１を有する１つのＢＲＢＧ、ＲＦ＝３を有する２つのＢＲＢＧｓ、ＲＦ＝５を有する２つのＢＲＢＧｓ、ＲＦ＝９を有する１つのＢＲＢＧである。
【０１０８】
代わりに、調整ユニットＳ６２は、ＲＦ＝４及びＲＦ＝８を有するＢＲＢＧｓのＲＦｓを２つだけ増加することができる。それゆえ、ＲＦ＝２を有する３つのＢＲＢＧｓは、２より大きいＲＦｓを有するＢＲＢＧｓに結合することができ、又は、ＲＦ＝１を有する６つのＢＲＢＧｓは、２より大きいＲＦｓを有するＢＲＢＧｓに結合することができる。
【０１０９】
ＢＲＢＧｓのＲＦｓが増加すると、増加したＲＦにしたがってＲＣ列グループを決定することができ、従って、ＢＲＢＧｓのＲＣ列グループは、更新される。この場合、図６に示した装置は、増加したＲＦを有するＢＲＢＧｓのＲＣ列グループを更新するための第１ＲＣ列更新ユニットを更に含む。
【０１１０】
例えば、ＲＦ＝２を有す１つのＢＲＢＧ（２つのＲＣ列を有する）は、ＲＦ＝３を有するように調整される場合、そのＲＣ列の数は、従って３に調整される。代わりに、ＢＲＢＧのＲＣ列の数は、ＲＦが増加される場合には調整されないが、この場合、ＢＲＢＧの利用が低下する。
【０１１１】
ＢＲＢＧがＭ（Ｍ≧１、Ｍは、整数）ＲＣ列に相当することに注目すべきである。しかし、ＲＣ列間に無関係あるいはほとんど関係がないため、これは、Ｍ≦ＲＦ、即ち、ＢＲＢＧに対応するＲＣ列の数がそのリピートファクターより小さいことよりも良いことである。
【０１１２】
多くの方法が、ＢＲＢＧｓの一部分または全部を放出するのに利用可能であり、そして、それらの１つは、ＢＲＢＧｓの一部分のＲＦｓを減少することによって、ＢＲＢＧｓにおけるＢＲＢｓの数を減少させることである。
【０１１３】
全体の時間−周波数資源が、ＲＦ＝１を有する８つのＢＲＢＧｓ、ＲＦ＝２を有する４つのＢＲＢＧｓ、ＲＦ＝４を有する２つのＢＲＢＧｓ、ＲＦ＝８を有する１つのＢＲＢＧに分割されるとを仮定する。
【０１１４】
ＢＲＢＧｓにおけるＢＲＢｓを放出するために、調整ユニットＳ６２は、ＲＦ＝２を有するＢＲＢＧｓのＲＦｓのみ減少させることができる。例えば、ＲＦ＝２を有する４つのＢＲＢＧｓは、ＲＦ＝１を有する8つのＢＲＢＧｓに分割することができる。調整された時間−周波数資源は、ＲＦ＝１を有する１６つのＢＲＢＧｓ、ＲＦ＝４を有する２つのＢＲＢＧｓ、ＲＦ＝８を有する１つのＢＲＢＧである。
【０１１５】
代わりに、調整ユニットＳ６２は、最も大きいＲＦを有するＢＲＢＧｓのＲＦを減少させることができる。例えば、ＲＦ＝８を有するＲＢＧｓは、ＲＦ＝１を有する8つのＢＲＢＧに分割できる。それゆえ、調整された時間−周波数資源は、ＲＦ＝１を有する１６のＢＲＢＧ、ＲＦ＝２を有する４つのＢＲＢＧｓ、及びＲＦ＝４を有する２つのＢＲＢＧｓである。
【０１１６】
代わりに、調整ユニットは、１より大きいＲＦを有する全てのＢＲＢＧのＲＦｓを減少させることができる。例えば、ＲＦ＝２を有するＢＲＢＧｓ、ＲＦ＝４を有するＢＲＢＧｓ、及びＲＦ＝８を有するＢＲＢＧｓに分割され、そして、これらのＲＦｓは、１に低下する。それゆえ、調整された時間−周波数資源は、ＲＦ＝１を有する３２のＢＲＢＧｓである。
【０１１７】
注目すべきことは、ＢＲＢＧのＲＦが減少される場合、対応するＲＣ列グループは、減少したＲＦに従って決めることができ、そして、ＢＲＢＧのＲＣ列グループは、従って更新される。この場合、図６に示した装置は、さらに、減少したＲＦを有するＢＲＢＧのＲＣ列グループを更新するための第２ＲＣ列更新ユニットを含んでいる。
【０１１８】
例えば、ＲＦ＝３を有するＢＲＢＧ（３つのＲＣ列を有する）は、ＲＦ＝２を有するように調整される場合、ＢＲＢＧのＲＣ列の数は、従って２に調整される。代わりに、ＢＲＢＧのＲＣ列の数は、ＲＦが減少される場合には調整されないが、この場合、ＲＣ列間の関連性及びＢＲＤＭＡの対する欠点をもたらす。
【０１１９】
新しく導入されたＢＲＢＧに対して、ＢＲＢＧのＲＣ列グループは、ＢＲＢＧのＲＦに対応するＲＣ列グループに基づいて決定することができる。
【０１２０】
図６に示した資源管理装置からわかるように、ＢＲＢＧｓに対する調整は、間隔を置いて成され、即ち、セルの動作環境に対する検出時間で行われる。この検出時間は、特定の環境に基づいて作られ、長い、中間、または短い時間とすることができる。検出時間が長く、または非常に長く設定されると、ＢＲＢＧの調整期間は、長くなり、またはそのＢＲＢＧは、調整なしで固定される。検出時間が短く設定される場合、ＢＲＢＧの調整周波数は、迅速になり、あるいは、実時間調整に近くなる。
【０１２１】
本発明によって与えられる資源管理の方法及び装置の記載に続いて、資源配分に基づくＢＲＤＭＡについて、以下に記載される。
図７は、資源配分処理に基づくＢＲＤＭＡを説明する。ステップ７１において、利用可能なＢＲＢＧｓが、ユーザーに対して配分される。ＢＲＢＧを配分するステップは、ユーザーのサービス要求に一致するＲＦを有するＢＲＢＧを選択し、そして、選択されたＢＲＢＧを配分する。
【０１２２】
ユーザーのサービス要求は、サービスデータ速度の要求、またはサービスの品質（ＱｏＳ）要求の要求である。実際、これらの２つ以外サービス要求を考慮することができる。  ユーザーのサービス要求を得る場合、時間−周波数資源は、サービス要求が必要であり、また、調整反復の数がサービス要求に基づいて決定され、そして、適切なＢＲＢＧは、獲得された時間−周波数資源および調整反復の数に基づいて選択される。
【０１２３】
ユーザーのサービスデータ速度要求又はＱｏＳ要求に基づいて、調整反復の数が４となるように決定されると仮定する。この場合、ユーザーのサービス要求のための適切なＢＲＢＧは、ＲＦ＝４を有するＢＲＢＧである。それゆえ、ＲＦ＝４を有する利用可能なＢＲＢＧが、ユーザーに割り当てられることである。
【０１２４】
ここに、利用可能なＢＲＢＧは、利用可能なＲＣ列を有するＢＲＢＧという。
ＢＲＢＧが多重ＲＣ列に対応していると、ＢＲＢＧは、多数のユーザーに配分されるとき、多重アクセスは、異なるユーザーのための異なるＲＣ列を割り当てることによって実現することができる。それゆえ、一人のユーザーに対してＢＲＢＧを配分している間、我々は、ＢＲＢＧが利用可能なＲＣ列を有するかどうか考慮しなければならない。ＢＲＢＧの全てのＲＣ列が既に他のユーザーに割り当てられている場合、我々が、ユーザーのためのＢＲＢＧを配分する場合でさえ、他のユーザーにＲＣ列を割り当てることができないため、ＢＲＢＧは、利用できないと考えられる。
【０１２５】
ユーザーのための利用可能なＢＲＢＧを配分した後、ＲＣ列は、ステップ７２において、配分したＢＲＢＧに対して割り当てられる。
ＢＲＢＧがユーザーに対して割り当てられた後、ユーザーのためのＲＣ列を割り当てる間、我々は、ＢＲＢＧのＲＦに対応するＲＣ列グループから利用可能なＲＣ列を選択し、そして、それをユーザーに割り当てることができる。
【０１２６】
さらに、ステップ７１において、ＢＲＢＧを配分するステップは、ユーザーのサービス要求に一致するＲＦを有するＢＲＢＧを選択し、そして、選択されたＢＲＢＧを配分する工程を含む。この配分方法は、十分に資源を利用できる。しかし、実際には、利用可能なＢＲＢＧｓの間でユーザーのサービス要求が一致するＲＦを有するＢＲＢＧはなさそうである。この場合、資源は、ユーザーに配分されないので、推奨することはできない。
【０１２７】
利用可能なＢＲＢＧｓの間でユーザーのサービス要求に一致するＲＦを有するＢＲＢＧがない場合、ユーザーにＢＲＢＧを配分するために、他の方法が用いられる。
第１の方法は、ユーザーのサービス要求よりも高いＲＦを有する利用可能なＢＲＢＧを選択し、そして、ユーザーに対して選択されたＢＲＢＧを配分する各工程を含む。
【０１２８】
ユーザーのサービスデータ速度要求又はＱｏＳ要求に基づいて、調整反復の数が２となるように決定されると仮定する場合、ユーザーのサービス要求に一致するＢＲＢＧは、ＲＦ＝２を有するＢＲＢＧである。利用可能なＢＲＢＧｓの間で、ＲＦ＝２を有するＢＲＢＧがない場合、２よりも大きいＲＦを有する利用可能なＢＲＢＧが選択される。
【０１２９】
以上のように、ＢＲＢＧを配分する第１の方法を用いるのに、時間−周波数資源が浪費される。時間−周波数資源を残しかつ時間−周波数資源を改善するために、第２の方法を用いることができる。
【０１３０】
第２の方法は、ユーザーのサービス要求よりも高いＲＦを有する利用可能なＢＲＢＧを選択し、そして、ユーザーのサービス要求に一致するＲＦを有するＢＲＢＧを得るために、選択されたＢＲＢＧのＲＦを減少させ、そして、得られたＢＲＢＧを配分する各工程を含む。
【０１３１】
ユーザーのサービスデータ速度要求又はＱｏＳ要求に基づいて、調整反復の数が２となるように決定されると仮定する場合、ユーザーのサービス要求に一致するＢＲＢＧは、ＲＦ＝２を有するＢＲＢＧである。利用可能なＢＲＢＧｓの間で、ＲＦ＝２を有するＢＲＢＧがない場合、２よりも大きいＲＦを有する利用可能なＢＲＢＧが選択される。
【０１３２】
選択されたＢＲＢＧが、５のＲＦを有すると仮定すると、ＢＲＢＧのＲＦは、２に低下される。即ち、ＢＲＢＧは、３つのＢＲＢＧｓに分割され、そして、ＲＦ＝２を有する、得られたＢＲＢＧが、ユーザーに配分される。
【０１３３】
第３の方法は、ユーザーのサービス要求に一致するＲＦを有するＢＲＢＧを得るために、ＢＲＢＧのＲＦを増加させ、そして、得られたＢＲＢＧを配分する各工程を含む。
【０１３４】
ユーザーのサービスデータ速度要求又はＱｏＳ要求に基づいて、調整反復の数が５となるように決定されると仮定する場合、ユーザーのサービス要求に一致するＢＲＢＧは、ＲＦ＝５を有するＢＲＢＧである。利用可能なＢＲＢＧｓの間で、ＲＦ＝５を有するＢＲＢＧがない場合、ＲＦ＝３を有する利用可能なＢＲＢＧのＲＦは、５に増加される。即ち、ＲＦ＝２を有するＢＲＢＧは、ＲＦ＝３を有するＢＲＢＧに結合される。そして、ＲＦ＝５を有するＢＲＢＧが得られる。
【０１３５】
第４の方法は、ユーザーのサービス要求に一致する、複数のＢＲＢＧｓ、そのＲＦｓの合計を選択し、そして、複数のＢＲＢＧｓを配分する各工程を含む。
【０１３６】
ユーザーのサービスデータ速度要求又はＱｏＳ要求に基づいて、調整反復の数が５となるように決定されると仮定する場合、ユーザーのサービス要求に一致するＢＲＢＧは、ＲＦ＝５を有するＢＲＢＧである。利用可能なＢＲＢＧｓの間で、ＲＦ＝５を有するＢＲＢＧがない場合、我々は、ユーザーのために、ＲＦ＝３を有する利用可能なＢＲＢＧ、及びＲＦ＝２を有するＢＲＢＧを配分する。
【０１３７】
第３の方法と第４の方法との間の以下の相違点に注目すべきである。
第３の方法の重要点は、多数のＢＲＢＧｓに１つのＢＲＢＧを結合し、そして、それをユーザーのために配分することであり、１つの割り当てられたＲＣ列のみになることである。
【０１３８】
第４の方法の重要点は、多数のＢＲＢＧｓを用いて、繰り返し通信することである。この場合、我々は、ＢＲＢＧｓを結合しない。従って、多数の割り当てられたＲＣ列になる。多数のＲＣ列が割り当てられると、ＲＣ列は、ＢＲＢＧｓが配分される順序と同一に連結される。受信者から見ると、多数のＢＲＢＧｓを繰り返し送信のために１つの新しいＢＲＢＧに結合することに等しい。そして、多数の利用可能なＲＣ列は、上記ＢＲＢＧｓが拡張したＲＣ列として用いられるように配分されると同一の順序で連結される。
【０１３９】
例えば、ＲＦ＝３を有する利用可能なＢＲＢＧ（ＢＲＢＧ１）と、ＲＦ＝２を有する利用可能なＢＲＢＧ（ＢＲＢＧ２）が、ユーザーに対して配分される場合、我々は、ＢＲＢＧ１に対する選択されたＲＣ列は、｛１,０,１｝であり、ＢＲＢＧ２に対する選択されたＲＣ列は、｛１,０｝であると仮定する。このＢＲＢＧｓが配分されるこの順序は、ＢＲＢＧ１、ＢＲＢＧ２である。それゆえ、２つのＲＣ列が連結した後、我々は、ＲＣ列｛１,０,１,１,０｝を得る。このＢＲＢＧｓが配分されるこの順序が、ＢＲＢＧ２、ＢＲＢＧ１である場合、そのとき連結後に得られたＲＣ列は、｛１,０,１,０,１｝である。
【０１４０】
以上のように、資源配分の上記第４の方法は、補助資源配分方法として用いられ、この場合、ユーザーのサービス要求に一致するＲＦを有する利用可能なＢＲＢＧは、存在しないか、あるいは独立の資源配分方法として直接用いられる。上記第４の方法が、独立の資源配分方法として用いられる場合、我々は、ユーザーのサービス要求に一致するＲＦを有する利用可能なＢＲＢＧがあるか否か予め決定する必要はない。
【０１４１】
図７のフローチャートを参照して、資源配分処理を記載した後、この資源配分方法は、ダウンリンクの時間−周波数資源を割り当てるために用いられ、あるいは、アップリンクの時間−周波数資源を配分するために用いられることに注目すべきである。
【０１４２】
アップリンクの時間−周波数資源の配分において、ターミナルによって送信された信号のピーク対平均電力比（ＰＡＰＲ）を、ターミナルの送信効率を改善するために、考慮すべきである。周波数領域だけで繰り返しているＢＲＢｓを有するＢＲＢＧｓが、配分されたＢＲＢＧｓ内に含まれる場合、送信された信号のＰＡＰＲは、悪化するであろう。それゆえ、アップリンクの時間−周波数資源の配分において、時間領域ＢＲＢＧｓが推奨される。周波数領域ＢＲＢＧｓが配分されなければならない限定された状況下では、ＢＲＢｓは、周波数領域において連続したＢＲＢＧ内に含まれる。即ち、ブロックリピート後のアップリング信号は、離散周波数帯域ではなく、連続する周波数帯域内で送信される。
【０１４３】
上記資源配分方法に基づいて、本発明は、また資源配分装置に基づくＢＲＤＭＡを提供する。そして、図８は、この資源配分装置の図を示している。
図８の資源配分装置は、ＢＲＢＧ割り当てユニットＳ８１及びＲＣ列割当ユニットＳ８２を含む。
【０１４４】
ＢＲＢＧ配分ユニットＳ８１は、ユーザーのサービス要求に従う利用可能なＢＲＢＧｓを割り当てるように構成されている。また、ＲＣ列割当ユニットＳ８２は、ＢＲＢＧのためのＲＣ列を割り当てるように構成されている。
【０１４５】
ＢＲＢＧ配分ユニットＳ８１は、ユーザーのサービス要求に一致するＲＦを有するＢＲＢＧを選択し、そして選択されたＢＲＢＧを割り当てる。
ユーザーのサービス要求は、サービスデータ速度要求又はＱｏＳ要求となる。実際には、これら２つ以外のサービス要求も考慮される。
【０１４６】
ユーザーのサービス要求を得るために、ＢＲＢＧ配分ユニットＳ８１は、取るべき時間−周波数資源を決定し、かつサービス要求に基づいた調整反復の数を決定する。そして、獲得された時間−周波数資源及び調整反復の数に基づいた適切なＢＲＢＧを選択する。
【０１４７】
ユーザーのサービスデータ速度要求又はＱｏＳ要求に基づいて、調整反復の数が４となるように決定されると仮定する場合、ユーザーのサービス要求に対する適切なＢＲＢＧは、ＲＦ＝４を有するＢＲＢＧである。それゆえ、ＢＲＢＧ配分ユニットＳ８１は、ＲＦ＝４を有する利用可能なＢＲＢＧを選択し、そして、それをユーザーに配分する。
【０１４８】
ユーザーのために利用可能なＢＲＢＧを配分した後、ＲＣ列割当ユニットＳ８２は、ＢＲＢＧのＲＦに対応するＲＣ列グループから利用可能なＲＣ列を選択し、そして、それをユーザーに割り当てる。
【０１４９】
さらに、ＢＲＢＧを配分する配分ユニットＳ８１のステップは、ユーザーのサービス要求に一致するＲＦを有するＢＲＢＧを選択し、そして選択されたＢＲＢＧを配分するこの配分方法は、十分に資源を利用できる。しかし、実際には、利用可能なＢＲＢＧｓの間でユーザーのサービス要求が一致するＲＦを有するＢＲＢＧはなさそうである。この場合、ユーザーに資源が配分されないので、推奨することはできない。それゆえ、図８において示す装置に、決定ユニットが付加され、この決定ユニットは、ユーザーのサービス要求に一致するＲＦを有するＢＲＢＧが、利用可能なＢＲＢＧｓの間で存在するか否かを決定する。
【０１５０】
配分ユニットＳ８１がＢＲＢＧを配分する前に、決定ユニットが決定する。利用可能なＢＲＢＧｓの間でユーザーのサービス要求が一致するＲＦを有するＢＲＢＧがある場合、配分ユニットＳ８１は、配分するためにトリガーされる。利用可能なＢＲＢＧｓの間でユーザーのサービス要求が一致するＲＦを有するＢＲＢＧがない場合、他の動作によってトリガーすることができる。
【０１５１】
利用可能なＢＲＢＧｓの間でユーザーのサービス要求が一致するＲＦを有するＢＲＢＧがない場合、他の方法がユーザーにＢＲＢＧを配分するために用いることができる。
第１の配分ユニットは、図８の装置に付加することができ、利用可能なＢＲＢＧｓの間でユーザーのサービス要求が一致するＲＦを有するＢＲＢＧがない場合に、ユーザーのサービス要求よりも高いＲＦを有するＢＲＢＧを選択するために、決定ユニットによってトリガーされ、そして、選択されたＢＲＢＧを配分するように構成されている。
【０１５２】
ユーザーのサービスデータ速度要求又はＱｏＳ要求に基づいて、調整反復の数が２となるように決定されると仮定する場合、ユーザーのサービス要求に一致するＢＲＢＧは、ＲＦ＝２を有するＢＲＢＧである。利用可能なＢＲＢＧｓの間で、ＲＦ＝２を有するＢＲＢＧがない場合、第１の配分ユニットは、２より大きいＲＦを有する利用可能なＢＲＢＧを選択し、そして、それをユーザーに配分する。
【０１５３】
代わりに、第２の配分ユニットを、図８の装置に付加することができ、この配分ユニットは、利用可能なＢＲＢＧｓの間でユーザーのサービス要求が一致するＲＦを有するＢＲＢＧがない場合に、決定ユニットによってトリガーされ、ユーザーのサービス要求よりも高いＲＦを有するＢＲＢＧのＲＦを減少させ、ユーザーのサービス要求が一致するＲＦを有するＢＲＢＧを得て、この得られたＢＲＢＧを配分する。
【０１５４】
ユーザーのサービスデータ速度要求又はＱｏＳ要求に基づいて、調整反復の数が２となるように決定されると仮定する場合、ユーザーのサービス要求に一致するＢＲＢＧは、ＲＦ＝２を有するＢＲＢＧである。利用可能なＢＲＢＧｓの間で、ＲＦ＝２を有するＢＲＢＧがない場合、第２の配分ユニットは、２に対して２より大きいＲＦ（例えば、ＲＦ＝５）を有する利用可能なＢＲＢＧのＲＦを減少させることができる。即ち、ＢＲＢＧは、３つのＢＲＢＧｓに分割され、そして、ＲＦ＝２を有する、得られた配分ユニットは、ユーザーに配分される。
【０１５５】
代わりに、第３の配分ユニットを図８の装置に付加することができる。この配分ユニットは、利用可能なＢＲＢＧｓの間でユーザーのサービス要求が一致するＲＦを有するＢＲＢＧがない場合に、決定ユニットによってトリガーされ、ＢＲＢＧのＲＦを増加させ、ユーザーのサービス要求に一致するＲＦを有するＢＲＢＧのＲＦを得て、この得られたＢＲＢＧを配分する。
【０１５６】
ユーザーのサービスデータ速度要求又はＱｏＳ要求に基づいて、調整反復の数が５となるように決定されると仮定する場合、ユーザーのサービス要求に一致するＢＲＢＧは、ＲＦ＝５を有するＢＲＢＧである。利用可能なＢＲＢＧｓの間で、ＲＦ＝５を有するＢＲＢＧがない場合、第３の配分ユニットは、ＲＦ＝３を有する利用可能なＢＲＢＧを５まで増加させる。即ち、ＲＦ＝２を有するＢＲＢＧは、ＲＦ＝３を有するＢＲＢＧに結合され、そして、ＲＦ＝５を有するＢＲＢＧが得られる。
【０１５７】
代わりに、第４の配分ユニットを図８の装置に付加することができる。この配分ユニットは、利用可能なＢＲＢＧｓの間でユーザーのサービス要求が一致するＲＦを有するＢＲＢＧがない場合に、決定ユニットによってトリガーされ、複数のＢＲＢＧｓを選択し、これらのＲＦｓの合計がユーザーのサービス要求に一致し、そして、複数のＢＲＢＧｓを配分する。
【０１５８】
ユーザーのサービスデータ速度要求又はＱｏＳ要求に基づいて、調整反復の数が５となるように決定されると仮定する場合、ユーザーのサービス要求に一致するＢＲＢＧは、ＲＦ＝５を有するＢＲＢＧである。利用可能なＢＲＢＧｓの間で、ＲＦ＝５を有するＢＲＢＧがない場合、第４の配分ユニットは、ＲＦ＝３を有する利用可能なＢＲＢＧと、ＲＦ＝２を有する利用可能なＢＲＢＧとを、ユーザーに配分することができる。
【０１５９】
第４の配分ユニットがユーザーに多数のＢＲＢＧｓを配分された後、ＲＣ列割当ユニットＳ８２が、配分された多数のＢＲＢＧｓのＲＦｓに対応するＲＣ列から多数の利用可能なＲＣ列を選択し、ＢＲＢＧｓが配分されたのと同一の順序で、選択されたＲＣ列を連結し、連結されたＲＣ列を得て、そして、連結されたＲＣ列を割り当てる。
【０１６０】
例えば、第４の配分ユニットが、ＲＦ＝３を有する利用可能なＢＲＢＧ（ＢＲＢＧ１）と、ＲＦ＝２を有する利用可能なＢＲＢＧ（ＢＲＢＧ２）をユーザーに割り当てる場合、我々は、ＢＲＢＧ１に対する選択されたＲＣ列は、｛１,０,１｝であり、ＢＲＢＧ２に対する選択されたＲＣ列は、｛１,０｝であると仮定する。このＢＲＢＧｓが配分されるこの順序は、ＢＲＢＧ１、ＢＲＢＧ２である。それゆえ、ＲＣ列割当ユニットが、２つのＲＣ列を連結した後、得られたＲＣ列は、｛１,０,１,１,０｝である。このＢＲＢＧｓが配分されるこの順序が、ＢＲＢＧ２、ＢＲＢＧ１である場合、そのとき、連結後に得られたＲＣ列は、｛１,０,１,０,１｝である。
【０１６１】
以上のように、上記の第１配分ユニット、第２配分ユニット、第３配分ユニット、及び第４配分ユニットは、補助資源配分方法として用いられ、この場合、ユーザーのサービス要求に一致するＲＦを有する利用可能なＢＲＢＧは、存在しないか、あるいは独立の資源配分ユニットとして直接用いられる。上記第４の配分ユニットが、独立の資源配分ユニットとして用いられる場合、ユーザーのサービス要求に一致するＲＦを有する利用可能なＢＲＢＧがあるか否か予め決定する必要はない。これにより、決定ユニットを省略できる。
【０１６２】
資源配分装置は、ダウンリンクの時間−周波数資源を割り当てるために用いられ、あるいは、アップリンクの時間−周波数資源を配分するために用いられることに注目すべきである。
【０１６３】
アップリンクの時間−周波数資源の配分において、ターミナルによって送信された信号のＰＡＰＲ（ピーク対平均電力比）を、ターミナルの送信効率を改善するために、考慮すべきである。周波数領域だけで繰り返しているＢＲＢｓを有するＢＲＢＧｓが、配分されたＢＲＢＧｓ内に含まれる場合、送信された信号のＰＡＰＲは、悪化するであろう。それゆえ、アップリンクの時間−周波数資源の配分において、時間領域ＢＲＢＧｓが推奨される。周波数領域ＢＲＢＧｓが配分されなければならない限定された状況下では、ＢＲＢｓは、周波数領域において連続したＢＲＢＧ内に含まれる。即ち、ブロックリピート後のアップリング信号は、離散周波数帯域ではなく、連続する周波数帯域内で送信される。
【０１６４】
実施形態に記載の例示的な方法のステップと装置ユニットは、電気的なハードウエア及びソフトウエアまたはその両方を包含することを当業者であれば理解できるであろう。ホハードウエア及びソフトウエアの間で交換可能であることを説明するために、上記の例示的なステップ及びユニットは、それらの機能によって一般的に記載される。ソフトウエアのハードウエアを用いて各機能が実現できるかどうかは、システムを実現する際の特定の応用及び設計による。種々の方法は、特定の利用の各々に対して記載された機能を実現するために利用可能であり、そして、この実現は、本発明の範囲から逸脱しないと考えるべきであることは、当業者には理解できるであろう。
【０１６５】
一般的な目的のプロセッサを用いることによって、デジタル信号プロセッサ（ＤＳＰ）、特定利用の集積回路（ＡＳＩＣ）、フィールドプログラマブルゲートアレー（ＦＰＧＡ）又は他のプログラム可能な論理装置、セパレートゲート又はトランジスタロジック、セパレートハードウエア要素又はそれらの組合せ、実施例に記載された例示的ユニットは、実現または実施することができる。一般的なプロセッサは、マイクロプロセッサであるが、他の場合、プロセッサは、他の一般的プロセッサ、コントローラ、マイクロコントローラ、または状態機械とすることができる。また、このプロセッサは、コンピュータ装置の組合せ、例えば、ＤＳＰ及びマイクロプロセッサの組合せ、多数のマイクロプロセッサ、１つ以上のマイクロプロセッサと、ＤＳＰコア又はこの種の他の構造物と組合せとして実施することができる。
【０１６６】
実施形態に記載の方法の各ステップは、１つのプロセッサ、またはそれらの組合せによって実行されるハードウエア、ソフトウエアモジュールとともに実施される。ソフトウエアモジュールは、ＲＡＭ、フラッシュメモリ、ＲＯＭ、ＥＰＲＯＭ、ＥＥＰＲＯＭ、レジスタ、ハードディスク、ポータブルハードディスク、ＣＤ−ＲＯＭ、または他の従来公知の記憶媒体の内に存在する。一般的な記憶媒体をプロセッサに結合することによって、プロセッサは、記憶媒体からの情報を読むことができ、そして、その情報を記録媒体に読み込む。別の実施形態において、記憶媒体は、プロセッサの一部分となる。このプロセッサと記憶媒体は、ワークステーション内にあるＡＳＩＣ内に存在することができる。
【０１６７】
本実施形態の開示によれば、当業者は、本発明を実現または使用することができる。当業者には分かるように、本実施形態に対する種々の修正が可能である。本発明の原理は、本発明の範囲及び本質から逸脱することなく、他の実施形態に応用することができる。上記の実施形態は、本発明の好ましい実施形態であり、本発明を制限することを意図するものではない。本発明の精神及び原理の範囲内における他の修正例、等価例、または変更例は、本発明の保護範囲に包含されるものである。
【図１】
2010541346.tif 000003
【図２−１】
2010541346.tif 000004
【図２−２】
2010541346.tif 000005
【図２−３】
2010541346.tif 000006
【図２−４】
2010541346.tif 000007
【図３】
2010541346.tif 000008
【図４】
2010541346.tif 000009
【図５】
2010541346.tif 000010
【図６】
2010541346.tif 000011
【図７】
2010541346.tif 000012
【図８】
2010541346.tif 000013
【手続補正書】
【提出日】平成22年6月3日(2010.6.3)
【手続補正１】
【補正対象書類名】特許請求の範囲
【補正対象項目名】全文
【補正方法】変更
【補正の内容】
【特許請求の範囲】
【請求項１】
ブロックリピートディビジョンへの多重アクセスに基づく資源配分方法であって、
利用可能なＢＲＢＧ（ブロックリピートリソースブロックグループ）からユーザーのサービス要求に一致するＲＦ（リピートファクター）を有するＢＲＢＧを選択し、
前記選択されたＢＲＢＧを配分し、
ＲＣ（リピートコード）列を前記ＢＲＢＧに割り当てる、各工程を含み、
前記ＢＲＢＧは、複数のＢＲＢ（ブロックリピートブロック）を含み、該ＢＲＢは、リピートブロックユニットによって取られた時間−周波数資源であることを特徴とする資源配分方法。
【請求項２】
さらに、前記利用可能なＢＲＢＧが、ユーザーのサービス要求に一致するＲＦを有するＢＲＢＧを含まない場合、ユーザーのサービス要求よりも高いＲＦを有するＢＲＢＧを選択し、そして、選択されたＢＲＢＧを配分することを特徴とする請求項１記載の方法。
【請求項３】
さらに、前記利用可能なＢＲＢＧが、ユーザーのサービス要求に一致するＲＦを有するＢＲＢＧを含まない場合、ユーザーのサービス要求よりも高いＲＦを有するＢＲＢＧのＲＦを減少させ、ユーザーのサービス要求に一致するＲＦを有するＢＲＢＧを得て、そして、この得られたＢＲＢＧを配分することを特徴とする請求項１記載の方法。
【請求項４】
さらに、前記利用可能なＢＲＢＧが、ユーザーのサービス要求に一致するＲＦを有するＢＲＢＧを含まない場合、ＢＲＢＧのＲＦを増加させ、ユーザーのサービス要求に一致するＲＦを有するＢＲＢＧを得て、そして、この得られたＢＲＢＧを配分することを特徴とする請求項１記載の方法。
【請求項５】
さらに、前記利用可能なＢＲＢＧが、ユーザーのサービス要求に一致するＲＦを有するＢＲＢＧを含まない場合、利用可能な複数のＢＲＢＧを選択し、該利用可能な複数のＢＲＢＧの各ＲＦの合計値をユーザーのサービス要求に一致させ、そして、利用可能な複数の前記ＢＲＢＧを配分することを特徴とする請求項１記載の方法。
【請求項６】
複数の利用可能なＲＣ列が、複数の利用可能な配分された前記複数のＢＲＢＧの各ＲＦに対応する各ＲＣ列から選択され、選択された複数の前記ＲＣ列は、前記複数のＢＲＢＧが配分されると同一の順序で連結され、連結したＲＣ列を得て、そして、該連結したＲＣ列を割り当てることを特徴とする請求項５記載の方法。
【請求項７】
利用可能なＲＣ列が、配分されたＢＲＢＧのＲＦに対応するＲＣ列のグループから選択され、そして、選択されたＲＣ列が割り当てられることを特徴とする請求項１ないし４のいずれか１項に記載の方法。
【請求項８】
前記配分されたＢＲＢＧは、アップリンク信号を送信するために用いられることを特徴とする請求項１ないし６のいずれか１項に記載の方法。
【請求項９】
時間領域のＢＲＢＧは、優先的に配分されることを特徴とする請求項８記載の方法。
【請求項１０】
連続する周波数領域のＢＲＢＧは、時間領域のＢＲＢＧが前記サービス要求に一致しない場合、優先的に配分されることを特徴とする請求項９記載の方法。
【請求項１１】
前記サービス要求が、サービスデータ速度またはサービスの品質（ＱoＳ）を含んでいることを特徴とする請求項１記載の方法。
【請求項１２】
ＢＲＢＧを含むＢＲＢ（ブロックリピートブロック）の数が、ＲＦに等しく、そして、このＲＦは、ＢＲＢＧのリピートファクターであることを特徴とする請求項１記載の方法。
【請求項１３】
ＢＲＢは、少なくとも１つの物理的リソ−スブロック（ＰＲＢ）からなり、ＢＲＢの大きさは、ブロックリピート調整のブロックユニットの大きさに相当することを特徴とする請求項１２記載の方法。
【請求項１４】
隣接セル間の複数のＢＲＢＧの配分が同一であることを特徴とする請求項１２記載の方法。
【請求項１５】
さらに、セルの複数のＢＲＢＧの配分が変更されると、変更した前記ＢＲＢＧの配分を隣接セルに知らせ、
前記隣接セルによって、前記隣接セルのＢＲＢＧの配分を更新する、各工程を含むことを特徴とする請求項１４記載の方法。
【請求項１６】
ブロックリピートディビジョン多重アクセスに基づく資源配分装置であって、
利用可能なＢＲＢＧ（ブロックリピートリソースブロックグループ）からユーザーのサービス要求に一致するＲＦ（リピートファクター）を有するＢＲＢＧを選択し、そして、前記選択されたＢＲＢＧを配分するように構成された、ＢＲＢＧ配分ユニットと、
前記ＢＲＢＧのＲＣ列を割り当てるように構成された、ＲＣ（リピートコード）列割当ユニットとを含み、
前記ＢＲＢＧは、複数のＢＲＢ（ブロックリピートブロック）を含み、該ＢＲＢは、リピートブロックユニットによって取られた時間−周波数資源であることを特徴とする資源配分装置。
【請求項１７】
利用可能なＢＲＢＧが、ユーザーのサービス要求に一致するＲＦを有するＢＲＢＧを含むかどうかを決定するように構成された決定ユニットを更に含み、該決定ユニットは、
利用可能なＢＲＢＧが、ユーザーのサービス要求に一致するＲＦを有するＢＲＢＧを含む場合、前記ＢＲＢＧ配分ユニットをトリガーして動作させることを特徴とする請求項１６記載の装置。
【請求項１８】
さらに、利用可能なＢＲＢＧが、ユーザーのサービス要求に一致するＲＦを有するＢＲＢＧを含まないとき、ユーザーのサービス要求よりも高いＲＦを有するＢＲＢＧを選択し、そして、選択されたＢＲＢＧを配分するように構成された、第１配分ユニットを含むことを特徴とする請求項１７記載の装置。
【請求項１９】
さらに、利用可能なＢＲＢＧが、ユーザーのサービス要求に一致するＲＦを有するＢＲＢＧを含まないとき、ユーザーのサービス要求よりも高いＲＦを有するＢＲＢＧを減少させ、そして、ユーザーのサービス要求に一致するＲＦを有するＢＲＢＧを得て、得られたＢＲＢＧを配分するように構成された、第２配分ユニットを含むことを特徴とする請求項１７記載の装置。
【請求項２０】
さらに、利用可能なＢＲＢＧが、ユーザーのサービス要求に一致するＲＦを有するＢＲＢＧを含まないとき、ＢＲＢＧのＲＦを増加させ、ユーザーのサービス要求に一致するＲＦを有するＢＲＢＧを得て、そして、得られたＢＲＢＧを配分するように構成された、第３配分ユニットを含むことを特徴とする請求項１７記載の装置。
【請求項２１】
さらに、利用可能なＢＲＢＧが、ユーザーのサービス要求に一致するＲＦを有するＢＲＢＧを含まないとき、複数の利用可能なＢＲＢＧを選択し、該ＢＲＢＧの各ＲＦの合計をユーザーのサービス要求に一致させ、そして、前記複数の利用可能なＢＲＢＧを配分するように構成された、第４配分ユニットを含むことを特徴とする請求項１７記載の装置。
【請求項２２】
前記ＲＣ列割当ユニットは、前記配分された複数の利用可能なＢＲＢＧの各ＲＦに対応するＲＣ列から複数の利用可能なＲＣ列を選択し、連結されたＲＣ列を得るために、前記複数のＢＲＢＧが配分されると同一の順序で前記選択された複数のＲＣ列を連結し、連結されたＲＣ列を割り当てるように構成されていることを特徴とする請求項２１記載の装置。
【請求項２３】
前記ＲＣ列割当ユニットは、配分されたＢＲＢＧのＲＦに対応するＲＣ列グループから１つの利用可能なＲＣ列を選択し、そして、選択された前記ＲＣ列を割り当てるように構成されていることを特徴とする請求項１６ないし２０のいずれか１項に記載の装置。
【請求項２４】
ブロックリピートディビジョン多重アクセスに基づく資源管理方法であって、
所定時間、セルの動作環境を検出し、
前記セルの前記セルのＢＲＢＧ（ブロックリピートリソースブロックグループ）の一部分のＲＦ（リピートファクター）を増加または減少させることによって、動作環境に従って前記セルの複数のＢＲＢＧにおける複数のＢＲＢ（ブロックリピートブロック）の数を調整する、各工程を含み、
前記ＢＲＢＧは、複数の前記ＢＲＢを含み、該ＢＲＢは、リピートブロックユニットによって取られた時間−周波数資源であることを特徴とする資源管理方法。
【請求項２５】
前記所定時間にわたる前記セルの動作負荷の平均値が、計算されることを特徴とする請求項２４記載の方法。
【請求項２６】
前記セルの動作負荷の平均値が、第１閾値より大きい場合、ＢＲＢＧにおけるＢＲＢの数を減少させ、また、前記セルの動作負荷の平均値が、第２閾値より小さい場合、ＢＲＢＧにおけるＢＲＢの数を増加させることを特徴とする請求項２５記載の方法。
【請求項２７】
前記所定時間にわたる前記セルの測定された障害の平均値が、計算されることを特徴とする請求項２４記載の方法。
【請求項２８】
前記セルの測定された障害の平均値が、第３閾値より大きい場合、複数のＢＲＢＧにおけるＢＲＢの数を増加させ、また、前記セルの測定された障害の平均値が、第４閾値より小さい場合、複数のＢＲＢＧにおけるＢＲＢの数を減少させることを特徴とする請求項２７記載の方法。
【請求項２９】
ＢＲＢＧの一部分の各ＲＦは、リピート調整のために複数のＢＲＢの数を増すように増加されることを特徴とする請求項２６または請求項２８に記載の方法。
【請求項３０】
さらに、増加したＲＦを有するＢＲＢＧのＲＣ（リピートコード）列グループを更新することを特徴とする請求項２９記載の方法。
【請求項３１】
前記ＢＲＢＧのＲＦが増加された後、増加したＲＦに対応するＲＣ列グループが決定され、そして、前記ＢＲＢＧのＲＣ列グループが、対応するＲＣ列グループとともに更新されることを特徴とする請求項３０記載の方法。
【請求項３２】
前記ＢＲＢＧの一部分の各ＲＦは、リピート調整のために複数のＢＲＢの数を減らすように減少されることを特徴とする請求項２６または請求項２８に記載の方法。
【請求項３３】
さらに、減少されたＲＦを有するＢＲＢＧのＲＣ列グループを更新する工程を含むことを特徴とする請求項３２記載の方法。
【請求項３４】
前記ＢＲＢＧのＲＦが減少された後、減少したＲＦに対応するＲＣ列グループが決定され、そして、前記ＢＲＢＧのＲＣ列グループが、対応するＲＣ列グループとともに更新されることを特徴とする請求項３３記載の方法。
【請求項３５】
ブロックリピートディビジョン多重アクセスに基づく資源管理装置であって、
所定時間、セルの動作環境を検出するように構成された検出ユニットと、
前記セルの前記セルのＢＲＢＧ（ブロックリピートリソースブロックグループ）の一部分のＲＦ（リピートファクター）を増加または減少させることによって、前記セルの動作環境に従って前記セルの複数のＢＲＢＧにおけるＢＲＢ（ブロックリピートブロック）の数を調整するように構成された調整ユニットとを含み、
前記ＢＲＢＧは、複数の前記ＢＲＢを含み、該ＢＲＢは、リピートブロックユニットによって取られた時間−周波数資源であることを特徴とする資源管理装置。
【請求項３６】
前記検出ユニットは、前記所定時間にわたる前記セルの動作負荷の平均値を計算するように構成されていることを特徴とする請求項３５記載の装置。
【請求項３７】
前記調整ユニットは、前記セルの動作負荷の平均値が、第１閾値より大きい場合、ＢＲＢＧにおけるＢＲＢの数を減少させ、また、前記セルの動作負荷の平均値が、第２閾値より小さい場合、ＢＲＢＧにおけるＢＲＢの数を増加させるように構成されていることを特徴とする請求項３６記載の装置。
【請求項３８】
前記所定時間にわたる前記セルの測定された障害の平均値を計算するように構成されていることを特徴とする請求項３５記載の装置。
【請求項３９】
前記調整ユニットは、前記セルの測定された障害の平均値が、第３閾値より大きい場合、複数のＢＲＢＧにおけるＢＲＢの数を増加させ、また、前記セルの測定された障害の平均値が、第４閾値より小さい場合、複数のＢＲＢＧにおけるＢＲＢの数を減少させるように構成されていることを特徴とする請求項３８記載の装置。
【請求項４０】
前記調整ユニットは、リピート調整のために複数のＢＲＢの数を増すために、前記複数のＢＲＢＧの一部分の各ＲＦを増加するように構成されていることを特徴とする請求項３７または請求項３９に記載の装置。
【請求項４１】
さらに、増加したＲＦを有するＢＲＢＧのＲＣ列グループを更新するように構成された第１ＲＣ列更新ユニットを含むことを特徴とする請求項４０記載の装置。
【請求項４２】
前記第１ＲＣ列更新ユニットは、前記ＢＲＢＧのＲＦが増加された後、増加したＲＦに対応するＲＣ列グループが決定され、そして、対応するＲＣ列グループとともに前記ＢＲＢＧのＲＣ列グループを更新するように構成されていることを特徴とする請求項４１記載の装置。
【請求項４３】
前記調整ユニットは、リピート調整のために複数のＢＲＢの数を減らすように、前記複数のＢＲＢＧの一部分の各ＲＦを減少させるように構成されていることを特徴とする請求項３７または請求項３９に記載の装置。
【請求項４４】
さらに、減少されたＲＦを有するＢＲＢＧのＲＣ列グループを更新するように構成された第２ＲＣ列更新ユニットを含むことことを特徴とする請求項４３記載の装置。
【請求項４５】
前記第２ＲＣ列更新ユニットは、前記ＢＲＢＧのＲＦが減少された後、減少したＲＦに対応するＲＣ列グループを決定し、そして、対応するＲＣ列グループとともに前記ＢＲＢＧのＲＣ列グループを更新するように構成されていることを特徴とする請求項４４記載の装置。
【国際調査報告】
2010541346.tif 000014
2010541346.tif 000015
2010541346.tif 000016
2010541346.tif 000017